(57)【要約】【課題】  上蓋の不正開放による小袋への不正な操作を効果的に防止する方法の創出を課題とし、もって安心して使用できるカップ状容器を提供することを目的とする。【解決手段】  カップ状の容器本体の内部に内容物を収納したうえで、上端面をシール蓋材で密封した状態で、さらに容器本体の上端開口部を上蓋で覆って使用する容器において、上蓋の頂壁に形成した凹部内に内容物に加えて使用する食材を封入した小袋を収納し、シール片を凹部周縁部に接着して小袋を覆った状態で使用する。【選択図】図３
2005239219.tif 000002
【特許請求の範囲】
【請求項１】
内容物(L)を収納したカップ状の容器本体(1)の上端開口部をシール蓋材(3)で密封した状態で、さらに前記容器本体(1)の上端部を上蓋(4)で覆って使用する容器において、前記上蓋(4)の頂壁に形成した凹部(6)内に、前記内容物(L)に加えて使用する食材を封入した小袋(S)を収納し、シール片(10)を前記凹部(6)周縁部(7)に接着して前記小袋(S)を覆った状態で使用することを特徴とする蓋付きカップ状容器。
【請求項２】
上蓋(4)の頂壁の下面に凹部（６）を形成した請求項１記載の蓋付きカップ状容器。
【請求項３】
上蓋(4)の頂壁の上面に凹部（６）を形成した請求項１記載の蓋付きカップ状容器。
【請求項４】
シール片(10)にミシン目(11)を形成し、該ミシン目(11)の破断により小袋(S)を取り出し可能とした請求項１、２または３記載の蓋付きカップ状容器。
【発明の詳細な説明】
【技術分野】
【０００１】
本発明は本発明は、蓋付きのカップ状容器に関する。
【背景技術】
【０００２】
たとえば特許文献１にはシール蓋付きのカップ状容器に関する発明が記載されている。これらの容器は従来からたとえばヨーグルト、ジャム、インスタントラーメン等の幅広い用途に使用されている。容器本体はプラスチック製、紙積層材料製、アルミ等の金属製のものがあり、その形状は上端開口部が円形状や楕円形状や角を丸めた矩形状である。そしてこれらカップ状容器は内容物を収納後、容器本体の上部開口部の周縁に周設したフランジに、下面側に適度の剥離性を有する熱融着層を積層した、積層プラスチックフィルム製、アルミラミネート製等のシール蓋材を熱融着して密封状にして使用される。
【０００３】
また、さらには外観的に商品性を向上させる目的と共に、販売等の際にシール蓋材が不正に開かれたりしないようにシール蓋材を覆うようにして容器本体の上端部に上蓋を被せて使用されることもあり、そしてこのシール蓋材と上蓋の間に内容物に加えて使用する食材を封入した小袋を入れて使用することもある。たとえば内容物がヨーグルトでは顆粒状の砂糖を小袋に封入して使用するし、インスタントラーメンの場合には具材、スープの素等を小袋に封入して使用する。
【特許文献１】特開平８−２５８８５９号公報
【発明の開示】
【発明が解決しようとする課題】
【０００４】
しかしながら上蓋自体は使用時に簡単に取り外すことができるように容器本体の上端開口部のフランジの周縁に軽くアンダーカット状に組付き固定されているだけなので、店頭で不正に上蓋が外されて、小袋が紛失したりする等の問題があり、また上蓋はまた元に戻すことができるので、購入者が使用する際に始めて小袋がないことに気付くこともあり、安全上そして安心感の点で問題があった。
【０００５】
本発明は上記したような問題を解消するために創案されたものであり、上蓋の不正開放による小袋への不正な操作を効果的に防止する方法の創出を課題とし、もって安心して使用できる蓋付きカップ状容器を提供することを目的とする。
【課題を解決するための手段】
【０００６】
上記技術的課題を解決する手段のうち、請求項１記載の発明の手段は、
内容物を収納したカップ状の容器本体の上端開口部をシール蓋材で密封した状態で、さらに容器本体の上端部を上蓋で覆って使用する容器において、
上蓋の頂壁に形成した凹部内に内容物に加えて使用する食材を封入した小袋を収納すること、そしてシール片を凹部周縁部に接着して小袋を覆った状態で使用すること、にある。
【０００７】
請求項１記載の上記構成により、小袋を頂壁に形成した凹部に収納して、シール片を凹部周縁部に接着して小袋を覆うことにより、不正にシール片を剥離、あるいは破断して小袋を取り出したとしても、シール片を元の状態に戻すことはできないので、不正に開放された場合にはそのことを確実に認識することができるので、安心して使用することができる。
【０００８】
シール片の凹部周縁部への接着はシール片の下面に積層されたホットメルト剤による熱融着等により実施されるが、小袋を取り出す方法としては易剥離可能な程度の接着強度にしてシール片を凹部周縁部から剥離して小袋を取り出す方法、あるいは接着強度を強力にして、弱化部を設けシール片を破断する方法等がある。
【０００９】
なお、シール片で小袋を密閉する必要は必ずしもないので、シール片の周縁の全周に亘って接着するだけでなく、たとえば周縁を複数箇所、点接着する等、不正に小袋が取り出すことができない範囲で、使用目的等に応じて接着方法を適宜選択することもできる。またホットメルト剤を使用することなくシール片の接着面と上蓋を形成する合成樹脂を同種にしておけば直接熱溶着することも可能である。
【００１０】
請求項２記載の発明の手段は、請求項１記載の発明において、上蓋の頂壁の下面に凹部を形成することにある。
【００１１】
請求項２記載の上記構成は、小袋を上蓋の頂壁の下面に形成した凹部に収める構成であり、小袋を取り出すためにはまず上蓋を容器本体から取り外し、さらにシール片を剥離する必要があり、短時間に容易に取り出すことができなくなり、たとえばちょっとした悪戯による小袋への不正操作を効果的に防止することができる。
【００１２】
請求項３記載の発明の手段は請求項１記載の発明において、上蓋の頂壁の上面に凹部を形成すること、にある。
【００１３】
請求項３記載の上記構成は、小袋を上蓋の頂壁の上面に形成した凹部に収める構成であり、通常この頂壁上面には商品名等を印刷したラベルを貼付するが、シール片にラベルの機能を付与することにより、部材を増やすことなく小袋を覆うことができる。
【００１４】
請求項４記載の発明の手段は請求項１、２または３記載の発明において、シール片にミシン目を形成し、このミシン目の破断により小袋を取り出し可能とすること、にある。
【００１５】
請求項４記載の上記構成により、小袋の取り出しをより容易に達成できる。また、シール片の凹部周縁部への接着を強力することができるので、シール片の剥離を防止することができると共に、ミシン目の破断により不正操作をより明確に認識することができる。
【発明の効果】
【００１６】
本発明は上記した構成であり、以下に示す効果を奏する。
請求項１記載の発明にあっては、不正に小袋を取り出したとしても、シール片を元の状態に戻すことはできないので、不正に開放された場合にはそのことを確実に認識することができるので、安心して使用することができる。
【００１７】
請求項２記載の発明にあっては、小袋を取り出すためにはまず上蓋を容器本体から取り外し、さらにシール片を剥離する必要があり、短時間に容易に取り出すことができなくなり、たとえばちょっとした悪戯による小袋への不正操作を効果的に防止することができる。
【００１８】
請求項３記載の発明にあっては、シール片に上蓋の頂壁に貼付するラベルの機能を付与することにより、部材を増やすことなく小袋を覆うことができる。
【００１９】
請求項４記載の発明にあっては、シール片にミシン目を形成することにより、小袋の取り出しをより容易に達成できる。
【発明を実施するための最良の形態】
【００２０】
以下本発明の実施の形態を図面を参照して説明する。
図１〜図３は本発明の蓋付きカップ状容器の第１実施例を示すもので、ヨーグルト用の容器であり、小袋Ｓを上蓋４の頂壁の下面の下に収納するタイプの一例である。容器本体１はポリエチレン樹脂（以下ＰＥと記す。）製の熱成形したカップ状のものであり、その胴部の平断面形状は角取した矩形状であり、上端開口部の周囲にはフランジ２が周設されている。
【００２１】
また容器本体１は、内容物Ｌ（本実施例ではヨーグルト）を収納した状態で、その上端開口部をシール蓋材３で密封して保管、販売される。シール蓋材３は適度の剥離性を有して容器本体１のフランジ２に接着されており、このシール蓋材３には基材となるプラスチックフィルム、アルミラミネートフィルム等の下面に、例えばエチレン-酢酸ビニール共重合体等のホットメルトタイプの熱融着層を積層したものを使用することができる。
【００２２】
上蓋４は、容器本体１同様にＰＥを熱成形したものであり、裏返した状態でトレー状であり（図２（ｂ）参照）、頂壁の下面には周縁部７の部分を残し、頂壁の大部分を凹ますようにして凹部６が形成されている。またこの凹部６はその大部分が平坦域５となっているが、この平坦域５の周縁には一部を除いて、上蓋４全体の剛性の確保のために凹部６をさらに凹ませるようにして（頂壁上面では突出した状態。）補強リブ９が形成されている。またこの上蓋４の周縁には係止片８を複数設け、蓋をした時に容器本体１のフランジ２の縁部に取り外しが容易にできる状態で、軽く係止するようにしている。
【００２３】
図２（ａ）はプラスチックフィルムから形成される小袋Ｓであり、本実施例ではヨーグルトに添加するための顆粒状の砂糖が封入されている。
【００２４】
図３（ａ）は上蓋４を裏返して、凹部６の中に、頂壁の平坦域５に載せるようにして小袋Ｓ（２点鎖線で表示）を収納した状態を示す。そして図３（ｂ）は小袋Ｓの上をシール片１０で覆った状態を示す。図３（ｂ）では小袋Ｓの収納状態が分かり易いようにシール片１０の一部を捲り上げた状態で示しているが、このシール片１０の周縁を全周に亘って凹部６周縁部７に接着して小袋Ｓを覆う。
【００２５】
シール片１０には前述したシール蓋材３と同様に、基材となるフィルムの下面に、熱融着層を積層したものを使用して熱融着させることができる。ただし、本実施例の態様ではシール片１０で小袋Ｓを密封する必要はないので、シール片１０にＰＥ製のフィルムを使用して、直接このシール片１０を同じくＰＥ製の上蓋４の周縁部７に複数箇所で点付けするように熱溶着させることもできる。
【００２６】
使用時には、摘み片１２を指先で摘んでシール片１０を剥離するが、たとえば店頭で上蓋４を取り外しても小袋Ｓは直ぐには取り出せないので、たとえば悪戯で小袋Ｓを取ってしまうような行為を効果的に防止することができる。また、シール片１０を剥がして小袋Ｓを取ったとしてもシール片１０を元の状態に戻すことはできないので、不正開放を認識することができる。
【００２７】
図４および図５は本発明の蓋付きカップ状容器の第２実施例を示すもので、第１実施例同様ヨーグルト用の容器であり、容器本体１および上蓋４はＰＥ製の熱成形品であるが、小袋Ｓを上蓋４の頂壁の上面の上に収納するタイプの一例である。
【００２８】
容器本体１の形状は、幅等の大きさは異なるものの第１実施例と略同様の形状である。上蓋４は頂壁の平坦域５の中央部に頂壁を矩形状に下方に凹ませて凹部６を形成したものであり、また頂壁の周縁には一部を除いて、頂壁を突出させて剛性を確保するための補強リブを形成している（頂壁下面では凹ませた状態。）。
【００２９】
この凹部６の中に小袋Ｓを収納して、その後凹部６の周縁部７である頂壁の平坦域５の略全域を覆うようにしてシール片１０を接着させる。本実施例ではこのシール片１０にミシン目１１を形成しており、使用時には摘み片１２を引っ張ってミシン目１１に沿ってシール片１０を破断して小袋Ｓを容易に取り出せるようにしている。なお、この際ミシン目１１で囲こわれる部分ではシール片１０を平坦域５に接着しないようにしておくことが好ましく、接着力を強力にしても、スムーズにミシン目１１に沿ってシール片１０を破断することができる。
【００３０】
悪戯等でミシン目１１に沿ってシール片１０を破断した場合には、不正な開放がされたことを明確に認識することが可能となる。また通常、頂壁の上面には商品名等を印刷したラベルが貼付されるが、シール片１０にこのようなラベルの機能を発揮せしめることができるので、その分部材の節約となる。
【００３１】
以上記２つの実施例では容器本体および上蓋としてＰＥを使用した例を示したが、本発明の作用効果は本実施例に限定されるものではない。たとえば容器本体には、各種のプラスチック製、紙積層材料製あるいは金属製などのカップ状容器を使用することできる。すなわちポリエチレン、ポリプロピレン、ポリスチレン、ポリ塩化ビニールなどのプラスチック製の、またこれらと他の合成樹脂やアルミニウム箔などとの積層プラスチック製の、さらにこれらと紙材料やアルミニウム箔などとの紙積層材料製の、またアルミニウムなどの金属製の、適宜にカップ状やトレー状などに成形した、上部開口が円形状や楕円形状や角を丸めた長方形状の、上部開口周辺にフランジを設けたカップ状容器を、特に制約なく用いることができる。
【００３２】
また実施例ではヨーグルト用の容器を例にして説明したが、本発明の作用効果はこの例に限定されるものでなく様々な用途に特に制約なく用いることができる。たとえばインスタントラーメン用の容器においても同様に具材、粉末スープ等を封入した小袋をシール蓋材と上蓋の間に収納して販売することが多く、このようなケースでも本発明の作用効果が十分発揮される。
【産業上の利用可能性】
【００３３】
以上説明したように本発明の蓋付きカップ状容器は、より安心して使用できるものであり、さらに幅広い使用が期待される。
【図面の簡単な説明】
【００３４】
【図１】本発明の容器の第１実施例を示す半縦断正面図である。
【図２】図１中の（ａ）小袋、および（ｂ）上蓋を示す斜視図である。
【図３】図２中の上蓋に小袋を収納する過程を斜視図で示す説明図である。
【図４】本発明の容器の第２実施例を示す一部縦断正面図である。
【図５】図４の容器の上蓋近傍を斜視図で示す説明図である。
【符号の説明】
【００３５】
１  ；容器本体
２  ；フランジ
３  ；シール蓋材
４  ；上蓋
５  ；平坦域
６  ；凹部
７  ；周縁部
８  ；係止片
９  ；補強リブ
１０  ；シール片
１１；ミシン目
１２；摘み片
Ｌ  ；内容液
Ｓ  ；小袋
【図１】
2005239219.tif 000003
【図２】
2005239219.tif 000004
【図３】
2005239219.tif 000005
【図４】
2005239219.tif 000006
【図５】
2005239219.tif 000007